(57)【要約】【課題】ＵＳＢプラグ、ＵＳＢ接続構造及び無線端末を提供する。【解決手段】ＵＳＢプラグの底壁の開口（１２１）に接続部品（１２２）が設けられ、これにより、ＵＳＢプラグがＵＳＢソケットに挿入して接続される時に、ＵＳＢソケットの底壁弾性片（１０３）が該接続部品に接触して電気的に接続され得る。このようなＵＳＢプラグは、ソケットの底壁の弾性片とプラグの底壁との接触を保証し、より良い接地性能を提供できる。また、従来のＵＳＢプラグに基づいて改良により容易に得ることができるので、余計なコストがかからない。【選択図】図６
2013524449.tif 000002
【特許請求の範囲】
【請求項１】
インタフェースを含むＵＳＢプラグであって、
前記インタフェースは、頂壁、底壁及び2つの側壁を含み、前記頂壁、前記底壁及び前記2つの底壁により取り囲まれるインタフェース内部には、ガスケットが設けられ、前記底壁は、1つ又は1つ以上の開口を有し、
前記ＵＳＢプラグは、さらに、前記底壁の開口のところに位置する第一接続部品を含み、前記第一接続部品の全部又は一部は、前記底壁の開口を覆いまた前記底壁に接続され、且つ前記第一接続部品は、導電材料により形成される、
ことを特徴とするＵＳＢプラグ。
【請求項２】
前記頂壁は、1つ又は1つ以上の開口を有し、
前記ＵＳＢプラグは、さらに、第二接続部品を含み、前記第二接続部品は、前記頂壁の開口のところに位置し、前記第二接続部品の全部又は一部は、前記頂壁の開口を覆いまた前記頂壁に接続される、
ことを特徴とする請求項１に記載のＵＳＢプラグ。
【請求項３】
前記底壁の開口は、前記底壁を貫通し、前記第一接続部品は、金属部品であり、
前記金属部品の形状は、前記底壁の開口の形状に順応し、これにより、前記金属部品は、前記底壁の開口に嵌入し、
前記金属部品の側壁は、前記底壁の開口の側壁に固定され、これにより、前記金属部品は、前記底壁の開口を覆う、
ことを特徴とする請求項１又は２に記載のＵＳＢプラグ。
【請求項４】
前記底壁の開口は、前記底壁を貫通せず、前記第一接続部品は、前記底壁の外表面の窪みである、
ことを特徴とする請求項１又は２に記載のＵＳＢプラグ。
【請求項５】
前記底壁の開口は、前記底壁を貫通し、前記第一接続部品は、金属部品であり、前記金属部品の面積は、前記底壁の開口の面積よりも大きく、
前記金属部品は、前記ガスケットの底部に固定され、且つ前記金属部品の位置は、前記底壁の開口に対応し、これにより、前記金属部品は、前記底壁の開口を覆う、
ことを特徴とする請求項１又は２に記載のＵＳＢプラグ。
【請求項６】
インタフェースを含むＵＳＢプラグであって、
前記インタフェースは、頂壁、底壁及び2つの側壁を含み、前記頂壁、前記底壁及び前記2つの側壁により取り囲まれるインタフェース内部には、ガスケットが設けられ、前記頂壁は、1つ又は1つ以上の開口を有し、
前記ＵＳＢプラグは、さらに、前記頂壁の開口のところに位置する接続部品を含み、前記接続部品の全部又は一部は、前記頂壁の開口を覆いまた前記頂壁に接続され、且つ前記頂壁の開口にところに位置する前記接続部品は、導電材料により形成される、
ことを特徴とするＵＳＢプラグ。
【請求項７】
前記底壁は、1つ又は1つ以上の開口を有し、
前記ＵＳＢプラグは、さらに、前記底壁の開口のところに位置する接続部品を含み、前記底壁の開口のところに位置する前記接続部品の全部又は一部は、前記底壁の開口を覆いまた前記底壁に接続される、
ことを特徴とする請求項６に記載のＵＳＢプラグ。
【請求項８】
前記頂壁の開口は、前記頂壁を貫通し、前記頂壁の開口のところに位置する前記接続部品は、金属部品であり、
前記金属部品の形状は、前記頂壁の開口の形状に順応し、これにより、前記金属部品は、前記頂壁の開口に嵌入し、
前記金属部品の側壁は、前記頂壁の開口の側壁に固定され、これにより、前記金属部品は、前記頂壁の開口を覆う、
ことを特徴とする請求項６又は７に記載のＵＳＢプラグ。
【請求項９】
前記頂壁の開口は、前記頂壁を貫通せず、前記頂壁の開口のところに位置する前記接続部品は、前記頂壁の外表面の窪みである、
ことを特徴とする請求項６又は７に記載のＵＳＢプラグ。
【請求項１０】
前記頂壁の開口は、前記頂壁を貫通し、前記頂壁の開口のところに位置する前記接続部品は、金属部品であり、前記金属部品の面積は、前記頂壁の開口の面積によりも大きく、且つ前記金属部品の位置は、前記頂壁の開口に対応し、これにより、前記金属部品は、前記頂壁の開口を覆う、
ことを特徴とする請求項６又は７に記載のＵＳＢプラグ。
【請求項１１】
ＵＳＢインタフェースを有する無線端末であって、
前記ＵＳＢインタフェースは、頂壁、底壁及び2つの側壁を含み、前記頂壁、前記底壁及び前記2つの側壁により取り囲まれるインタフェース内部には、ガスケットが設けられ、前記底壁は、1つ又は1つ以上の開口を有し、
前記ＵＳＢインタフェースは、さらに、前記底壁の開口のところに位置する接続部品を含み、前記接続部品の全部又は一部は、前記底壁の開口を覆いまた前記底壁に接続され、且つ前記接続部品は、導電材料により形成される、
ことを特徴とする無線端末。
【請求項１２】
前記底壁の開口は、前記底壁を貫通し、前記接続部品は、金属部品であり、
前記金属部品の形状は、前記底壁の開口の形状に順応し、これにより、前記金属部品は、前記底壁の開口に嵌入し、
前記金属部品の側壁は、前記底壁の開口の側壁に固定され、これにより、前記金属部品は、前記底壁の開口を覆う、
ことを特徴とする請求項１１に記載の無線端末。
【請求項１３】
前記底壁の開口は、前記底壁を貫通せず、前記接続部品は、前記底壁の外表面の窪みである、
ことを特徴とする請求項１１に記載の無線端末。
【請求項１４】
前記底壁の開口は、前記底壁を貫通し、前記接続部品は、金属部品であり、且つ前記金属部品の面積は、前記底壁の開口の面積よりも大きく、
前記金属部品は、前記ガスケットの底部に固定され、且つ前記金属部品の位置は、前記底壁の開口に対応し、これにより、前記金属部品は、前記底壁の開口を覆う、
ことを特徴とする請求項１１に記載の無線端末。
【請求項１５】
前記無線端末は、データカードである、
ことを特徴とする請求項１１ないし１４の何れか一項に記載の無線端末。
【請求項１６】
ＵＳＢインタフェースを有する無線端末であって、
前記ＵＳＢインタフェースは、頂壁、底壁及び2つの側壁を含み、前記頂壁、前記底壁及び前記2つの側壁により取り囲まれるインタフェース内部には、ガスケットが設けられ、前記頂壁は、1つ又は1つ以上の開口を有し、
前記ＵＳＢインタフェースは、さらに、前記頂壁の開口のところに位置する接続部品を含み、前記接続部品の全部又は一部は、前記頂壁の開口を覆いまた前記頂壁に接続され、且つ前記頂壁の開口のところに位置する前記接続部品は、導電材料により形成される、
ことを特徴とする無線端末。
【請求項１７】
前記頂壁の開口は、前記頂壁を貫通し、前記頂壁の開口のところに位置する前記接続部品は、金属部品であり、
前記金属部品の形状は、前記頂壁の開口の形状に順応し、これにより、前記金属部品は、前記頂壁の開口に嵌入し、
前記金属部品の側壁は、前記頂壁の開口の側壁に固定され、これにより、前記金属部品は、前記頂壁の開口を覆う、
ことを特徴とする請求項１６に記載の無線端末。
【請求項１８】
前記頂壁の開口は、前記頂壁を貫通せず、前記頂壁の開口のところに位置する前記接続部品は、前記頂壁の外表面の窪みである、
ことを特徴とする請求項１６に記載の無線端末。
【請求項１９】
前記頂壁の開口は、前記頂壁を貫通し、前記頂壁の開口のところに位置する前記接続部品は、金属部品であり、且つ前記金属部品の面積は、前記頂壁の開口の面積よりも大きく、且つ前記金属部品の位置は、前記頂壁の開口に対応し、これにより、前記金属部品は、前記頂壁の開口を覆う、
ことを特徴とする請求項１６に記載の無線端末。
【請求項２０】
前記無線端末は、データカードである、
ことを特徴とする請求項１６ないし１９の何れか一項に記載の無線端末。
【発明の詳細な説明】
【技術分野】
【０００１】
本発明の実施例は、通信技術分野に関し、特に、ＵＳＢプラグ、ＵＳＢ接続構造及び無線端末に関する。
【０００２】
なお、本出願は、２０１０年４月２０日に中国特許局に提出された、出願番号が２０１０２０１７０３６２．２である、発明の名称が“ＵＳＢプラグ、ＵＳＢ接続構造及び無線端末”である中国特許出願に基づく優先権を主張するものであり、その全内容は本出願に引用により援用される。
【背景技術】
【０００３】
ＵＳＢ（Universal  Serial  Bus；ユニバーサル・シリアル・バス）インタフェースは、よく見かける接続インタフェースである。従来のＵＳＢ接続構造は、ＵＳＢソケット及びＵＳＢプラグを含み、使用時は、ＵＳＢプラグをＵＳＢソケットに挿入して接続させることにより、外部設備をコンピュータに電気的に接続させてデータを伝送し又は外部設備に電力を提供する。ＵＳＢソケットは、ＵＳＢメスコネクタとも称され、ＵＳＢプラグは、ＵＳＢオスコネクタとも称される。ＵＳＢソケットの構造は、一般的には、図１に示すようであり、ＵＳＢプラグは、一般的には、図２及び図３に示すようである。
【０００４】
図１に示すように、ＵＳＢソケットは、頂壁、底壁及び2つの側壁から形成される、断面が矩形状であるインタフェース１０１を含み、またＵＳＢプラグを挿入させることができる開口を有する。図１に示すように、そのうち、頂壁には、2つの頂壁弾性片１０２が設けられ、底壁には、2つの底壁弾性片１０３が設けられ、2つの側壁には、それぞれ、一つの側壁弾性片１０４が設けられる。図１に示すように、ＵＳＢソケットの開口の内部には、カード１０５が設けられ、カード１０５の周囲とインタフェースの四方の壁との間には、予め設定された所定の距離があり、且つ該カード１０５の、ＵＳＢプラグに対応する面には、金属接続片（図示せず）が設けられる。
【０００５】
図２に示すように、ＵＳＢプラグは、頂壁、底壁及び2つの側壁から形成される、断面が矩形状である筐体を含み、また図１に示すようなＵＳＢソケットに挿入する開口を有する。図２及び図３に示すように、ＵＳＢプラグの筐体の頂壁には、2つの開口２１２が設けられ、底壁には、2つの開口が設けられる。図４に示すように、開口２１２は頂壁を貫通し、底壁に設けられる開口は底壁を貫通し、また図１に示す頂壁弾性片１２０及び底壁弾性片１０３の位置にそれぞれ対応する。図２に示すように、ＵＳＢプラグの内部には、ガスケット（Gasket）２０３が設けられる。ガスケット２０３の底面は、底壁に接触し、ガスケット２０３の頂面と頂壁との間には、予め設定された所定の距離があり、且つガスケット２０３の頂面には、金属接続片２０４が設けられる。
【０００６】
このようにして、ＵＳＢプラグがＵＳＢソケットに挿入する時に、ＵＳＢソケットのカードは、ＵＳＢプラグのガスケットと頂壁との間に挿入し、カードの底面の金属接続片は、ガスケット頂面の金属接続片に接触して電気的に接続され、これにより、データの伝送又は電力の提供を実現する。また、ＵＳＢソケットの頂壁弾性片は、ＵＳＢプラグの頂壁の2つの開口に係合し、2つの底壁弾性片は、ＵＳＢプラグの底壁の2つの開口に係合し、これにより、接地を実現する。
【０００７】
本発明を実現する過程では、発明者は従来技術に少なくとも次の問題があると気づいた。
【０００８】
ＵＳＢプラグの内部のガスケットは、ＵＳＢプラグのインタフェースの底壁に接触するものであるので、ＵＳＢプラグは、ＵＳＢソケットに挿入した時に、ＵＳＢソケットの底壁弾性片は、ＵＳＢプラグのガスケットにより押圧され、ＵＳＢプラグの底壁の開口に進入することができず、ＵＳＢプラグの底壁に接触することができない。
【０００９】
無線製品にとって、接地は、そのパフォーマンスに大きく影響する。よって、上述のような従来のＵＳＢプラグ及びＵＳＢ接続構造におけるＵＳＢソケットの底壁弾性片がＵＳＢプラグの底壁に接触できないことは、無線製品のＥＭＣ（Electromagnetic  Compatibility；電磁適合性）性能を悪化させてしまうことがある。
【発明の概要】
【発明が解決しようとする課題】
【００１０】
従来技術においてＵＳＢプラグがＵＳＢソケットに挿入する時に、ＵＳＢソケットの底壁弾性片がＵＳＢプラグの底壁に接触することができず、無線製品のＥＭＣ性能を悪化させてしまうという問題を解決するために、本発明の実施例は、ＵＳＢプラグ、ＵＳＢ接続構造及び無線端末を提供する。
【課題を解決するための手段】
【００１１】
本発明の実施例は、ＵＳＢプラグを提供する。このＵＳＢプラグは、インタフェースを含み、前記インタフェースは、頂壁、底壁及び2つの側壁を含み、前記インタフェースの内部には、ガスケットが設けられ、前記底壁は、1つ又は1つ以上の開口を有し、また、前記ＵＳＢプラグは、前記底壁の開口のところに位置する接続部品をさらに含み、前記接続部品は、前記開口を覆い、また前記底壁に接続され、且つ前記接続部品は、導電性材料により形成される。
【００１２】
また、本発明の実施例は、ＵＳＢ接続構造を提供する。このＵＳＢ接続構造は、ＵＳＢプラグ及び前記ＵＳＢプラグに対応するＵＳＢソケットを含み、前記ＵＳＢソケットは、ソケットインタフェースを有し、前記ソケットインタフェースは、頂壁、底壁及び2つの側壁を含み、前記底壁には、1つ又は1つ以上の底壁弾性片が設けられ、前記ＵＳＢプラグは、インタフェースを有し、前記インタフェースは、頂壁、底壁及び2つの側壁を含み、前記インタフェースの内部には、ガスケットが設けられ、前記ガスケットの底部は、前記底壁に接触し、且つ前記ガスケットの頂部と前記頂壁との間には、予め設定される所定の距離があり、前記底壁は、1つ又は1つ以上の開口を有し、また、前記ＵＳＢプラグは、前記底壁の開口のところに位置する接続部品をさらに含み、前記接続部品は、前記開口を覆い、また前記底壁に接続され、且つ前記接続部品は、導電性材料により形成される。
【００１３】
また、本発明の実施例は、ＵＳＢインタフェースを有する無線端末を提供する。前記ＵＳＢインタフェースは、頂壁、底壁及び2つの側壁を含み、前記ＵＳＢインタフェースの内部には、ガスケットが設けられ、前記底壁は、1つ又は1つ以上の開口を有し、前記無線端末は、前記底壁の開口のところに位置する接続部品をさらに含み、前記接続部品は、前記開口を覆い、また前記底壁に接続され、且つ前記接続部品は、導電性材料により形成される。
【００１４】
本発明の実施例により提供されるＵＳＢプラグ及びＵＳＢ接続構造では、ＵＳＢプラグの底壁の開口のところに接続部品を設けることにより、ＵＳＢプラグがＵＳＢソケットに挿入して接続を行う時に、ＵＳＢソケットの底壁弾性片が該接続部品に接触することができる。接続部品と底壁とは電気に接続されるため、底壁弾性片が接続部品に接触して底壁に電気的に接続されることを確保し、接地性能を保証することができる。
【図面の簡単な説明】
【００１５】
本発明の実施例の技術案をより明確に説明するために、以下は、実施例に用いる図面について簡単に紹介する。明らかに分かるように、次の図面は、本発明のいくつかの実施例を示すためのものだけである。また、当業者は、創造的労働をしない前提で、これらの図面に基づいて他の図面を得ることもできる。
【図１】従来のＵＳＢソケットの立体構造を示す図である。
【図２】従来のＵＳＢプラグの立体構造を示す図である。
【図３】図２の底部構造を示す図である。
【図４】図２及び図３の垂直方向における断面構造を示す図である。
【図５】本発明の実施例によるＵＳＢプラグの構造を示す図である。
【図６】本発明の接続部品の第一種類の断面構造を示す図である。
【図７】本発明の接続部品の第二種類の断面構造を示す図である。
【図８】本発明の接続部品の第三種類の断面構造を示す図である。
【発明を実施するための形態】
【００１６】
本発明の目的、技術案及び利点をより明確にするために、以下、図面を参照しながら、本発明の実施形態についてより詳細に説明する。
【実施例１】
【００１７】
本発明の第一実施例は、ＵＳＢプラグを提供する。図５に示すように、上記ＵＳＢプラグは、インタフェースを有し、上記インタフェースは、頂壁１１、底壁１２及び2つの側壁１３を含む。図５、図６及び図７に示すように、上記底壁１２は、1つ又は1つ以上の開口１２１を有する。また、上記インタフェースは、接続部品をさらに含み、上記接続部品は、上記底壁１２の開口１２１のところに位置し、上記接続部品は、上記開口１２１を覆い、また上記底壁１２に接続され、且つ上記接続部品は、導電材料により形成される。
【００１８】
本発明の第一実施例により提供されたＵＳＢプラグでは、ＵＳＢプラグの底壁の開口のところに接続部品を設けることにより、ＵＳＢプラグがＵＳＢソケットに挿入して接続される時に、ＵＳＢソケットの底壁弾性片が該接続部品に接触することができる。接続部品と底壁とは電気的に接続されるので、底壁弾性片が接続部品に接触して底壁に電気的に接続されることを確保し、接地性能を保証することができる。従来のＵＳＢプラグでは、図４に示すように、インタフェースの内部にはガスケット２０３が設けられ、ガスケット２０３の底部は上記底壁に接触し、且つ上記ガスケットの頂部と上記頂壁との間には予め設定された所定の距離がある。従来技術では、接続部品が無い時に、底壁弾性片は、底壁に設けられる開口を通過して図４に示すようなガスケット２０３に直接接触し、これにより、底壁弾性片は、底壁に接触できず電気的な接続を実現できず、接地性能を悪化させてしまうことがある。本発明の第一実施例は、この問題を解決した。また、このような構造は、従来のＵＳＢプラグに基づいて改良により容易に得ることができるので、余計なコストがかからない。
【実施例２】
【００１９】
本発明の第二実施例は、ＵＳＢプラグを提供する。このＵＳＢプラグは、上述の第一実施例に基づいて改良により得られたものである。本実施例のＵＳＢプラグでは、底壁は第一実施例のような接続部品の構造を採用することでき、頂壁も第一実施例のような接続部品の構造を採用することができ、これにより、接地の信頼性を更に保証することができる。即ち、図６、図７及び図８に示すように、第一実施例を踏まえて、頂壁１１にも1つ又は1つ以上の開口１１１が設けられ、開口１１１のところには上記接続部品が設けられ、上記接続部品は、上記開口１１１を覆い、また上記頂壁１１と電気的に接続される。
【００２０】
そのうち、頂壁及び底壁の接続部品は、様々な構造を有してもよく、底壁を例とすると、次のようである。
【００２１】
例えば、図６に示すように、上記開口１２１は、上記底壁１２を貫通する。この場合、接続部品は、図６中の開口１２１の形状に合わせる金属部品１２２であり、上記金属部品１２２の周辺は、上記底壁１２に固定されて電気的に接続される。上記金属部品１２２の形状は、上記開口１２１の形状に順応することにより、上記金属部品１２２は、上記開口１２１に嵌入し、且つ上記金属部品１２２の側壁は、上記底壁１２１の開口の側壁に固定されることにより、上記金属部品は、上記開口を覆う。底壁１２は一定の厚みがあるから、金属部品１２２の側壁と底壁１２の側壁とは、溶接又は他の方式で固定されて電気的に接続されてもよい。このような構造は、従来のＵＳＢプラグに基づいて改良により容易に得ることができ、また従来の製造設備に対して大規模な改造を行わなくても得ることができる。上記金属部品１２２は、所定の厚みを有する金属片であってもよく、曲げられて側壁が生成された金属薄片であってもよい。
【００２２】
また、例えば、図７に示すように、接続部品は、底壁１２の外表面の窪みである。この場合、上記開口１２１は、上記底壁１２を貫通しない。底壁１２は一定の厚みがあるので、底壁１２の外表面には窪みを生成することができ、窪みの深さは、底壁１２の厚みよりも小さい。このような窪みは、接続部品とされる。このような構造は、良好な接続効果を得ることができ、接地の信頼性を更に向上することができる。また、上記底壁１２の外表面の窪みは、ＵＳＢプラグを作る時に一体成型により形成されてもよい。
【００２３】
また、例えば、図８に示すように、上記開口１２１は、上記底壁１２を貫通する。この場合、図８に示すように、接続部品は、金属部品１２４であってもよく、且つ上記金属部品１２４の面積は図６中の開口１２１の面積よりも大きい。上記金属部品１２４は、上記ガスケット１４の底部に設置され、且つその位置が上記開口１２１に対応する。金属部品１２４の位置は開口１２１の位置に対応するので、ガスケット１４と底壁との組み立て時に、金属部品１２４は、開口１２１を覆うことができる。また、金属部品１２４の面積は開口１２１の面積よりも大きいので、金属部品１２４は、底壁１２に接触して電気的に接続され得る。金属部品１２４は、溶接等の方式で底壁１２に固定されてもよい。また、ガスケット１４により、金属部品１２４は、底壁１２にしっかり押圧されてもよい。
【００２４】
なお、本発明の実施例は、これに限定されない。このような構造は、従来のＵＳＢプラグに基づいて改良により容易に得ることができ、また従来の製造設備に対して大規模な改造を行わなくても得ることができる。上記金属部品１２４は、一定の厚みを有する金属片であってもよく、金属薄片であってもよい。
【００２５】
もちろん、上述の３種類の接続部品の何れも、本発明の実施例における例示的なものだけであり、本発明の実施例は、これに限定されない。本発明の実施例における接続部品は、他の形式であってもよく、例えば、ガスケット１４の底面に設置される金属突起であってもよく、この金属突起は、開口１２１を遮ることができる。金属突起は、底壁１２に接続される。当業者が理解すべきは、上述の複数種類の方式及びそれらの変形は、本発明の第一実施例における接続部品の役割を実現することができ、また、これらの構造は、本発明の保護範囲に属すべきである。
【００２６】
また、本発明の実施例では、図６、図７及び図８に示すように、頂壁１１にも1つ又は1つ以上の開口１１１があり、該開口１１１を遮るための接続部品を設置してもよい。頂壁上の接続部品は、図６、図７及び図８のうちの任意の一種類の構造又は複数種類の構造を採用してもよい。また、超壁及び側壁は、それぞれ、上述の三種類の構造のうちの任意の一種類又は複数種類を採用してもよく、又は、他の構造を採用してもよく、本発明の実施例は、これに限られない。
【実施例３】
【００２７】
本発明の第三実施例はＵＳＢ接続構造を提供する。このＵＳＢ接続構造は、図１に示すＵＳＢソケットを含み、該ＵＳＢソケットは、ソケットインタフェース１０１を有し、上記ソケットインタフェース１０１は、頂壁、底壁及び2つの側壁を含み、上記底壁には、1つ又は1つ以上の底壁弾性片１３０が設けられる。上記ＵＳＢ接続構造は、ＵＳＢプラグを更に含む。図５に示すように、上記ＵＳＢプラグは、インタフェース１を有し、上記インタフェース１は、頂壁１１、底壁１２及び2つの側壁１３を含む。図５、図６及び図７に示すように、上記底壁１２は、1つ又は1つ以上の開口１２１を有し、また、接続部品を更に含み、この接続部品は、上記開口１２１を覆い、また上記底壁１２に接続される。また、この接続部品は、導電性材料により形成される。
【００２８】
本発明の第三実施例により提供されたＵＳＢ接続構造では、ＵＳＢプラグの底壁の開口のところに接続部品を設けることにより、ＵＳＢプラグがＵＳＢソケットに挿入して接続される時に、ＵＳＢソケットの底壁弾性片は、この接続部品に接続され得る。接続部品と底壁とは電気的に接続されるので、底壁弾性片が接続部品に接触して底壁と電気的に接続されることを確保でき、接地性能を保証することができる。従来のＵＳＢプラグでは、図４に示すように、インタフェースの内部にはガスケット２０３が設けられ、ガスケット２０３の底部は上記底壁に接触し、且つ上記ガスケットの頂部と上記頂壁との間には予め設置された所定の距離がある。従来技術では、接続部品がない時に、底壁弾性片は開口２２２を通過して図４に示すようなガスケット２０３に直接接触し、これにより、底壁弾性片は、底壁に接触できず電気的な接続を実現できず、接地性能を悪化させてしまう。本発明の第三実施例は、この問題を解決した。また、このような構造は、従来のＵＳＢプラグに基づいて改良により容易に得ることができるので、余計なコストがかからない。
【実施例４】
【００２９】
本発明の第四実施例は、ＵＳＢ接続構造を提供する。このＵＳＢ接続構造は、第三実施例に基づいて改良により得られたものである。本実施例によるＵＳＢ接続構造では、底壁だけではなく、頂壁も第三実施例のような接続部品の構造を採用するので、接地の信頼性を更に保証することができる。図６、図７及び図８に示すように、頂壁１１も、1つ又は1つ以上の開口１１１を有し、開口１１１のところには、第三実施例のような接続部品が設けられ、この接続部品は、上記開口１１１を覆い、また上記頂壁１１と電気的に接続される。
【００３０】
そのうち、頂壁及び底壁の接続部品は、様々な構造を有してもよく、底壁を例とすると、次のようである。
【００３１】
例えば、図６に示すように、上記開口１２１は上記底壁１２を貫通する。この場合、図６に示すように、接続部品は、図６中の開口１２１の形状に合わせる金属部品１２２であり、上記金属部品１２２の周辺は、上記底壁１２に固定されて電気的に接続される。上記金属部品１２２の形状は、上記開口１２１の形状に順応することにより、上記金属部品１２２は上記開口１２１に嵌入し、且つ上記金属部品１２２の側壁は、上記底壁１２１の開口の側壁に固定されることにより、上記金属部品は上記開口を覆う。底壁１２は一定の厚みがあるから、上記金属部品１２２の側壁と底壁１２の側壁とは、溶接又は他の方式で固定されて電気的に接続され得る。このような構造は、従来のＵＳＢプラグに基づいて改良により容易に得ることができ、また従来の製造設備に対して大規模な改造を行わなくても得ることができる。上記金属部品１２２は、一定の厚みを有する金属片であってもよく、曲げられて側壁が生成された金属薄片であってもよい。
【００３２】
また、例えば、図７に示すように、接続部品は、底壁１２の外表面の窪みである。この場合、上記開口１２１は、上記底壁１２を貫通しない。上記底壁１２は一定の厚みがあるので、上記底壁１２の外表面には窪みを生成することができ、窪みの深さは底壁１２の厚みよりも小さい。このような窪みは、接続部品とされる。このような構造は、良好な接続効果を得ることができ、接地の信頼性を更に向上することができる。
【００３３】
また、例えば、図８に示すように、上記開口１２１は、底壁１２を貫通する。この場合、図８に示すように、接続部品は、金属部品１２４であってもよく、且つ金属部品１２４の面積は図６中の開口１２１の面積よりも大きい。金属部品１２４は、ガスケット１４の底部に設置され、且つその位置は、開口１２１に対応する。金属部品１２４の位置は、開口１２１の位置に対応するので、ガスケット１４と底壁１２との組み立て時に、金属部品１２４は、開口１２１を覆うことができる。また、金属部品１２４の面積は開口１２１の面積よりも大きいので、金属部品１２４は、底壁１２に接触して電気的に接続され得る。金属部品１２４は、溶接等の方式で底壁１２に固定されてもよい。また、ガスケット１４により、金属部品１２４は、底壁１２にしっかり押圧されてもよい。
【００３４】
なお、本発明の実施例は、これに限定されない。このような構造は、従来のＵＳＢプラグに基づいて改良により容易に得ることができ、また従来の製造設備に対して大規模な改造を行わなくても得ることができる。上記金属部品１２４は、一定の厚みを有する金属片であってもよく、金属薄片であってもよい。
【００３５】
もちろん、上述の３種類の接続部品の何れも、本発明の実施例における例示的なものだけであり、本発明の実施例は、これに限定されない。本発明の実施例における接続部品は、他の形式であってもよく、例えば、ガスケット１４の底面に設置される金属突起であってもよく、この金属突起は、開口１２１を遮ることができる。金属突起は、底壁１２に接続される。当業者が理解すべきは、上述の複数種類の方式及びそれらの変形は、本発明の第三実施例における接続部品の役割を実現することができ、またこれらの構造は、本発明の保護範囲に属すべきである。
【００３６】
また、本発明の実施例では、図６、図７及び図８に示すように、頂壁１１も1つ又は1つ以上の開口１１１を有し、この開口１１１を遮るための接続部品を設置してもよい。頂壁上の接続部品は、図６、図７及び図８のうちの任意の一種類の構造又は複数種類の構造を採用してもよい。また、頂壁及び側壁は、それぞれ、上述の三種類の構造のうちの任意の一種類又は複数種類を採用してもよく、又は、他の構造を採用してもよく、本発明の実施例は、これに限られない。
【００３７】
また、本発明の実施例は、ＵＳＢインタフェースを有する無線端末を提供する。このＵＳＢインタフェースは、頂壁、底壁及び2つの側壁を含み、上記ＵＳＢインタフェースの内部には、ガスケットが設けられる。上記底壁は、1つ又は1つ以上の開口を有する。また、上記無線端末は、上記底壁の開口のところに位置する接続部品を更に含み、上記接続部品は、上記開口を覆い、また上記底壁に接続される。この接続部品は、導電材料により形成される。
【００３８】
上記接続部品は、金属部品であり、この金属部品の形状は、上記底壁の開口の形状に順応し、これにより、上記金属部品は、上記開口に嵌入し、且つ金属部品の側壁は、上記側壁の開口の側壁に固定され、これにより、上記金属部品は、上記開口を覆う。
【００３９】
そのうち、上記無線端末は、データカードである。
【００４０】
そのうち、無線端末の実施例の中のＵＳＢインタフェースは、ＵＳＢプラグの実施例を参照してもよいので、ここでは、その説明を省略する。
【００４１】
なお、上記データカードは、ＰＣに接続されてもよく、これにより、インターネットへの無線アクセス機能を実現することができる。上記データカードは、アンテナ、無線周波数処理ユニット、ＳＩＭ（Subscriber  Identity  Module；加入者識別モジュール）ユニット及びベースバンド処理ユニットを含む。これらの具他的な機能は、従来のアンテナ、無線周波数処理ユニット、ＳＩＭユニット及びベースバンド処理ユニットの機能と同じであるので、ここでは、その説明を省略する。もちろん、本発明の実施例では、データカードを例として説明するが、本発明は、データカードに限られない。
【００４２】
上述により、本発明の実施例は、ＵＳＢプラグ、ＵＳＢ接続構造及びＵＳＢインタフェースを有する無線端末を提供した。ＵＳＢプラグの底壁の開口のところに接続部品を設けることにより、ＵＳＢプラグがＵＳＢソケットに挿入して接続される時に、ＵＳＢソケットの底壁弾性片がこの接続部品に接触することができる。接続部品と底壁とは電気的に接続されるので、接続する時に底壁弾性片がガスケットに接触して底壁の弾性片が底壁に接触できないといった従来技術における問題を解決することができる。また、このような構造は、従来のＵＳＢプラグに基づいて改良により容易に得ることができるので、余計なコストがかからない。
【００４３】
また、底壁だけではなく、頂壁もこのような構造を採用することができるので、接地の信頼性を更に保証することができる。
【００４４】
また、本発明の実施例は、３種類の接続部品の構造を提供した。第１種類の接続部品は、底壁に固定される金属部品であり、このような構造は、従来のＵＳＢプラグに基づいて改良により容易に得ることができ、また従来の製造設備に対して大規模な改造を行わなくても得ることができる。第２種類の接続部品は、底壁の外表面の窪みであり、このような構造は、良好な接続効果を得ることができ、接地の信頼性を更に向上することができる。第３種類の接続部品は、ガスケットの底部に設けられる金属部品であり、金属部品の面積は開口の面積よりも大きい。このような構造は、従来のＵＳＢプラグに基づいて改良により容易に得ることでき、また従来の製造設備に対して大規模な改造を行わなくても得ることができる。
【００４５】
以上に述べたのは、本発明の好適な実施例だけであり、本発明を限定するものでない。本発明の精神及び原則内に行われる任意の変更、代替又は改善などによるものはすべて本発明の保護範囲に含まれるべきである。
【図１】
2013524449.tif 000003
【図２】
2013524449.tif 000004
【図３】
2013524449.tif 000005
【図４】
2013524449.tif 000006
【図５】
2013524449.tif 000007
【図６】
2013524449.tif 000008
【図７】
2013524449.tif 000009
【図８】
2013524449.tif 000010
【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
インタフェースを含むＵＳＢプラグであって、
前記インタフェースは、頂壁、底壁及び2つの側壁を含み、前記頂壁、前記底壁及び前記2つの底壁により取り囲まれるインタフェース内部には、ガスケットが設けられ、前記底壁は、1つ又は1つ以上の開口を有し、
前記ＵＳＢプラグは、さらに、前記底壁の開口のところに位置する第一接続部品を含み、前記第一接続部品の全部又は一部は、前記底壁の開口を覆いまた前記底壁に接続され、且つ前記第一接続部品は、導電材料により形成される、
ことを特徴とするＵＳＢプラグ。
【請求項２】
前記頂壁は、1つ又は1つ以上の開口を有し、
前記ＵＳＢプラグは、さらに、第二接続部品を含み、前記第二接続部品は、前記頂壁の開口のところに位置し、前記第二接続部品の全部又は一部は、前記頂壁の開口を覆いまた前記頂壁に接続される、
ことを特徴とする請求項１に記載のＵＳＢプラグ。
【請求項３】
前記底壁の開口は、前記底壁を貫通し、前記第一接続部品は、金属部品であり、
前記金属部品の形状は、前記底壁の開口の形状に順応し、これにより、前記金属部品は、前記底壁の開口に嵌入し、
前記金属部品の側壁は、前記底壁の開口の側壁に固定され、これにより、前記金属部品は、前記底壁の開口を覆う、
ことを特徴とする請求項１又は２に記載のＵＳＢプラグ。
【請求項４】
前記底壁の開口は、前記底壁を貫通せず、前記第一接続部品は、前記底壁の外表面の窪みである、
ことを特徴とする請求項１又は２に記載のＵＳＢプラグ。
【請求項５】
前記底壁の開口は、前記底壁を貫通し、前記第一接続部品は、金属部品であり、前記金属部品の面積は、前記底壁の開口の面積よりも大きく、
前記金属部品は、前記ガスケットの底部に固定され、且つ前記金属部品の位置は、前記底壁の開口に対応し、これにより、前記金属部品は、前記底壁の開口を覆う、
ことを特徴とする請求項１又は２に記載のＵＳＢプラグ。
【請求項６】
インタフェースを含むＵＳＢプラグであって、
前記インタフェースは、頂壁、底壁及び2つの側壁を含み、前記頂壁、前記底壁及び前記2つの側壁により取り囲まれるインタフェース内部には、ガスケットが設けられ、前記頂壁は、1つ又は1つ以上の開口を有し、
前記ＵＳＢプラグは、さらに、前記頂壁の開口のところに位置する接続部品を含み、前記接続部品の全部又は一部は、前記頂壁の開口を覆いまた前記頂壁に接続され、且つ前記頂壁の開口にところに位置する前記接続部品は、導電材料により形成される、
ことを特徴とするＵＳＢプラグ。
【請求項７】
前記底壁は、1つ又は1つ以上の開口を有し、
前記ＵＳＢプラグは、さらに、前記底壁の開口のところに位置する接続部品を含み、前記底壁の開口のところに位置する前記接続部品の全部又は一部は、前記底壁の開口を覆いまた前記底壁に接続される、
ことを特徴とする請求項６に記載のＵＳＢプラグ。
【請求項８】
前記頂壁の開口は、前記頂壁を貫通し、前記頂壁の開口のところに位置する前記接続部品は、金属部品であり、
前記金属部品の形状は、前記頂壁の開口の形状に順応し、これにより、前記金属部品は、前記頂壁の開口に嵌入し、
前記金属部品の側壁は、前記頂壁の開口の側壁に固定され、これにより、前記金属部品は、前記頂壁の開口を覆う、
ことを特徴とする請求項６又は７に記載のＵＳＢプラグ。
【請求項９】
前記頂壁の開口は、前記頂壁を貫通せず、前記頂壁の開口のところに位置する前記接続部品は、前記頂壁の外表面の窪みである、
ことを特徴とする請求項６又は７に記載のＵＳＢプラグ。
【請求項１０】
前記頂壁の開口は、前記頂壁を貫通し、前記頂壁の開口のところに位置する前記接続部品は、金属部品であり、前記金属部品の面積は、前記頂壁の開口の面積によりも大きく、且つ前記金属部品の位置は、前記頂壁の開口に対応し、これにより、前記金属部品は、前記頂壁の開口を覆う、
ことを特徴とする請求項６又は７に記載のＵＳＢプラグ。
【請求項１１】
請求項１ないし５の何れか一項に記載のＵＳＢプラグを有する無線端末。
【請求項１２】
前記無線端末は、データカードである、
ことを特徴とする請求項１１に記載の無線端末。
【請求項１３】
請求項６ないし１０の何れか一項に記載のＵＳＢプラグを無線端末。
【請求項１４】
前記無線端末は、データカードである、
ことを特徴とする請求項１３に記載の無線端末。
【国際調査報告】
2013524449.tif 000011
2013524449.tif 000012
2013524449.tif 000013
2013524449.tif 000014